(57)【要約】【課題】取扱い容易で簡単な構成の加増可能なファイルを提供する。【解決手段】分離された表表紙と、裏表紙および加増前この裏表紙に切り離し可能に連接する所要幅の背表紙部と、綴じ込み部材とで構成される加増可能なファイルであって、表表紙は綴じ側に内折りされた綴じ孔付き押え部片が連接されており、裏表紙には、綴じ側を内折りして綴じ紐を付した綴じ部片が設けられ、この綴じ部片に切目線を介して所要幅の背表紙部が連結されており、前記背表紙部は、裏表紙との連結側に綴じ孔付き押え部片を、幅方向の他辺に取付け部片を、それぞれ折線を介して一連に設けてあり、綴じ込み増量時には前記切目線から切離して前記取付け部片を前記裏表紙外面に取付手段で固定し、この背表紙部で綴じ側を囲い、前記背表紙部の綴じ部片を前記表表紙の押え部片と合わせて綴じ込むように構成されている。【選択図】図１
0003167086.tif 000002
【実用新案登録請求の範囲】
【請求項１】
分離された表表紙と、裏表紙および加増前この裏表紙に切り離し可能に連接する所要幅の背表紙部と、綴じ込み部材とで構成される加増可能なファイルであって、
前記表表紙は綴じ側に内折りされた綴じ孔付き押え部片が連接されており、前記裏表紙には、綴じ側を内折りして綴じ紐を付した綴じ部片が設けられ、この綴じ部片に切目線を介して所要幅の背表紙部が連結されており、
前記背表紙部は、裏表紙との連結側に綴じ孔付き綴じ部片を、幅方向の他辺に固定部片を、それぞれ折線を介して一連に設けてあり、綴じ込み増量時には前記切目線から切離して前記固定部片を前記裏表紙外面に取付手段で固定し、この背表紙部で綴じ側を囲い、前記綴じ部片を前記表表紙の押え部片と合わせて綴じ込むように構成されていることを特徴とする加増可能なファイル。
【請求項２】
前記背表紙部の固定部片の内側には固定手段として外面を離形紙で覆った接着テープが貼着してある請求項１に記載の加増可能なファイル。
【考案の詳細な説明】
【技術分野】
【０００１】  本考案は、ファイルへの伝票など帳票類の綴じ込み量が増加すると背表紙部の綴じ幅の変更ができ、多数枚の帳票類を有効に綴じ込むことができる簡単な構造の加増可能なファイルに関するものである。
【背景技術】
【０００２】  従来、各種書類を綴じ込んで整理するのに用いられるファイルとしては、既に各種の形状のものが知られている。その最も一般的な形式のものは、一枚の板紙で表裏両表紙とともに背表紙部分と綴じ具を付した綴じ込み部を一連に折曲げて一体構造に形成されている。このようなファイルでは、通常あまり多くの書類などを綴じ込まずに整理される用途に汎用されている。しかし、日常的に多くの書類、例えば伝票など時間の経過とともに多くの帳票などを綴じ込んで整理するのに使用されるファイルでは、１冊のファイルに綴じ込む量が多くなると、ファイルが外向きに大きく膨れて保形し難くなり不都合である。【０００３】  このようなことから、一般的に一枚の厚紙で一方の縁寄りに二個の綴じ紐孔を設けてなる板目表紙と称されるものを表裏両面に配して、増加する帳票類を綴じ込む方式が採用されている。しかしながら、この方式ではあらかじめ小分けしてファイリングされた帳票類を集めて綴じ直す手間を要し不都合である。一方、複数のファイルに分割して綴じ込む方法もあるが、これでは多くのファイルを必要として管理が厄介である。そこで、当初から背表紙幅の広いファイルを使用することになる。【０００４】  このような綴じ込み量が増加するのに１冊のファイルで対応することができるものとしては、例えば特許文献１によって知られているものがある。このファイルは、表表紙と裏表紙とが分離できてその一方の表紙側に背表紙が連続形成され、その背表紙部分に所要の間隔で多数の縦筋（折目線）を付し、この背表紙部分の端部に掛止め片を突き出し形成してあり、他方の切り離された表紙の背表紙と連結する側に複数の切込み孔が設けられて、そのいずれかの切込み孔に前記掛止め片を差し込むことで、背表紙と分離された表紙部が連結でき、前記切込み孔に背表紙端部の掛止め片を選択して掛止めることにより背表紙部の幅を変更してファイリング量の増加に対応できる構造となっている。また、このファイルでは両表紙の内側で綴じ具の綴じ紐（綴じ足）を係合させて綴じ込み後保形効果を高めるようにする掛止め片が設けられている。【０００５】  しかしながら、前記従来技術の特許文献１によるファイルにあっては、書類等のファイリング量が非常に多い場合には有効であるが、構造的に複雑化して高価となり、しかも綴込み量の増加とともに一方の表紙に切込み孔が表れるので、体裁が好ましくない、などの問題点がある。【０００６】  また、前記特許文献１によるファイルのように表裏両表紙を組み合わせるものではなく、幅広の背表紙を備えるファイルの場合には、使用する当初から背表紙幅が広いので、その幅広ファイルの収容に見合った書棚の保存スペース確保が要求され、書棚（収納棚）に余裕を持たせる必要が生じるという問題点がある。
【先行技術文献】
【特許文献】
【０００７】
【特許文献１】  特開２０００−１９０６７４号公報
【考案の開示】
【考案が解決しようとする課題】
【０００８】  本考案は、前述のような問題点を解消するためになされたもので、裏表紙に背表紙を連接して予め付属させておき、このような裏表紙と表表紙とによって初期の綴じ込みができ、綴じ込み量が増加するときには、裏表紙に付属させてある背表紙部を切り離して組換えることにより、簡単に綴込み量を加増させることができて、体裁よく収納できる簡単な構成の加増可能なファイルを提供することを目的とするものである。
【課題を解決するための手段】
【０００９】  前記目的を達成するために、本考案による加増可能なファイルは、
分離された表表紙と、裏表紙および加増前この裏表紙に切り離し可能に連接する所要幅の背表紙部と、綴じ込み部材とで構成される加増可能なファイルであって、
前記表表紙は綴じ側に内折りされた綴じ孔付き押え部片が連接されており、前記裏表紙には、綴じ側を内折りして綴じ紐を付した受け部片が設けられ、この受け部片に切目線を介して所要幅の背表紙部が連結されており、
前記背表紙部は、裏表紙との連結側に綴じ孔付き綴じ部片を、幅方向の他辺に固定部片を、それぞれ折線を介して一連に設けてあり、綴じ込み増量時には前記切目線から切離して前記固定部片を前記裏表紙外面に取付手段で固定し、この背表紙部で綴じ側を囲い、前記綴じ部片を前記表表紙の押え部片と合わせて綴じ込むように構成されていることを特徴とするものである。【００１０】  前記考案において、前記背表紙部の固定部片の内側には固定手段として外面を離形紙で覆った接着テープが貼着してあるのがよい。また、前記背表紙部の主体部には、固定部片との折目位置から適宜間隔で複数の折幅設定補助部位を内折線によって設けておくのが好ましい。
【考案の効果】
【００１１】  本考案によれば、初期段階では裏表紙に背表紙部を連結付属した状態で綴込み量が少ない状態での使用に供され、綴込み量が増量した場合、裏表紙に付属する背表紙部を切り離し、この背表紙部の固定部片を裏表紙の外面に固定手段によって取付けて、既に綴じ込んでいる帳票類の綴込み部分を背表紙部の主体部で囲うようにし、綴じ部片を表表紙の押え部片とで綴込む帳票類を挟み込で綴じ紐により継続的に綴込めば、複雑な手段を講じることなく帳票類の増量収納ができ、体裁よく書棚などに保管できる。また、裏表紙は綴込み部を内折りされた受け部片で二重に形成され、背表紙部は裏表紙の外面に固定部片を固着されて裏表紙の綴込み側を内側に囲い込むようにして配されるので、帳票類を多く綴じ込んで幅広くなっても変形せず、安定的にファイルとしての全形を維持できる。そして、前記背表紙部は、綴じ込む帳票類の量によって、その主体部に複数に区切って設けてある折幅設定補助部位で所要位置の折線箇所を選んで折り曲げることにより、背表紙幅を設定できる。
【図面の簡単な説明】
【００１２】
【図１】図１は本考案に係るファイルを開いて表わす全体斜視図である。
【図２】図２は表表紙と背表紙部付属の裏表紙とを分離させて表わした展開図である。
【図３】図３は裏表紙から背表紙部を分離した態様を表す図（ａ）と背表紙部を裏表紙に取付けた態様を表わす部分拡大図（ｂ）である。
【図４】図４は通常のファイリングを表わす模式図（ａ）と加増したファイリングの態様を表わす模式図（ｂ）である。
【考案を実施するための最良の形態】
【００１３】  次に、本考案による加増可能なファイルの具体的な実施の形態について、図面を参照しつつ説明する。【００１４】  この実施形態のファイル１は、表表紙２と背表紙部６を切り離し可能に連結した裏表紙３および収容する帳票類（紙葉類）を綴じ込む綴じ具１０とで構成され、使用初期状態（綴じ込み帳票類の量が少ない状態）では、図１に示されるように形成されている。初期状態では裏表紙３と背表紙部６とは一枚のシートで切り目線を介して一体に形成されている。【００１５】  前記表表紙２および裏表紙３は、所要外形寸法で板紙にて別個に形成されており、その表表紙２は綴じ側に所要間隔で並行する二本の折目線ａ，ａにて綴込みマチ部２ａ（綴じ金具１０を無理なく介在させることができるスペースを作るために設けている）を介在させて押え部片２ｂが連接されている。この押え部片２ｂは綴じ込む帳票類２０の端部を押えるに要する所要幅寸法に設定されており、長手方向中間位置に所定の間隔で少なくとも二個の綴じ孔４，４が設けられている。【００１６】  前記裏表紙３は、綴じ側に前記表表紙２の押え部片２ｂとほぼ同じ幅寸法で綴じ部片３ａが内折りされて設けられ、この綴じ部片３ａとともに、高さ方向中間位置に所定の間隔で綴じ紐１１の基部を装着するための綴じ紐孔５が四個設けてある。【００１７】  前記背表紙部６は、前述のように、初期状態で裏表紙３の３ａの自由端側に切り目線ｂ（切離し容易にするため部分的に切り込まれている）を介して連結されており、その幅方向に前記切り目線ｂ側から裏表紙３の綴じ部片３ａに対応する幅寸法で押え部片６ａが、そして折目線ｃを介して背表紙部片６ｂが、さらに外折目線ｄを介して取付け部片６ｃが、一連に形成されている。そして、前記背表紙部片６ｂは、所要幅寸法の拡張基準幅（予め設定した最低拡張幅部分として、たとえば５０ｍｍ幅の区画。以下「第１背表紙部６１ｂ」という）と、この第１背表紙部６１ｂよりも幅狭い寸法（たとえば１０ｍｍ）で複数本平行する内折目線ｅを介して区画される第２・第３・・・第ｎの補助背表紙部６２ｂを連接して最終位置に前記取付け部片６ｃが連接されている。なお、前記綴じ部片３ａの高さ方向中間位置には、前記綴じ孔４，４と合致するようにして綴じ孔７，７が設けてある。また、前記取付け部片６ｃの裏面外縁には、背表紙部６を固定するための離形紙付き粘着テープ８が付着されている。【００１８】  また、前記綴じ具１０は、裏表紙３の綴じ部片３ａの四個の綴じ孔５に基部を装着した綴じ紐１１と、これに対応して表表紙２の押え部片２ｂ上に配置するスライド固定具１３を備える周知構造の押え金具１２（綴じ金具）とで構成されている。【００１９】  このように構成されるこの実施形態のファイル１は、使用の初期において、図１に示されるように、裏表紙３の内面側で綴じ部片３ａの自由端側に切目線ｂを介して背表紙部６が連結され、裏表紙３内面に沿って取り付いた状態にあるので、そのまま裏表紙３の内側に帳票類２０を順次綴じ紐１１によって綴じ込んで表表紙２の押え部片２ｂを重ねて綴じ金具１０により固定すると、通常のファイルと同様に帳票類２０を綴じ込み収容できる（図４（ａ）参照）。【００２０】  やがて、このフ��イル１に収容する帳票類２０の枚数が増加して初期状態での綴込み収容量が多くなった場合、その綴込みを継続するためにファイル１を拡張する。このファイル１を拡張するには、図３（ａ）で示すように、裏表紙３に付属している背表紙部６を裏表紙３の綴じ部片３ａとの連結部における切り目線ｂ位置で切離す。次いで、図３（ｂ）で示すように、切離した背表紙部６を折目線ｃ，ｅに沿って内折りし、取付け部片６ｃの裏面端縁に付されている粘着テープ８の離形紙を剥がし、折目線ｅに沿って折り曲げたコーナー部を裏表紙３の綴じ側端部に沿わせるようにして外面（表面）に前記粘着テープ８を貼着する。なお、この操作は、ファイルに帳票類２０が綴じ込まれている状態であっても、前記背表紙部６と裏表紙３の綴じ部片３ａとの連結部における切り目線ｂが切離し容易に設けられているので、背表紙部６にやや強い引張り力を加えることで切離すことができる。したがって、既に綴じ込んでいる帳票類２０をそのままにして作業できる。【００２１】  こうすることで裏表紙３に背表紙部６の一方の辺が固定されるので、既に綴じ込まれている帳票類２０の上に加増する帳票類を重ねて綴じ紐１１で追加分を綴じ込み、その背表紙部６の押え部片６ａを内折りして綴じ紐孔７，７に綴じ紐１１を通し、図４（ｂ）で示すように、表表紙２の押え部片２ｂを重ね、綴じ金具１０の押え金具１２で押えて綴じ紐１１を固定すれば、帳票類２０を追加収容することができる。なお、綴じ込み量が多くなる場合は、背表紙部６の背表紙部片６ｂにおける第１背表紙部６１ｂに隣接する補助背表紙部６２ｂの区画を選択して所要幅となるように所要位置の折目線ｅから折り曲げるようにし、取付け部片６ｃを裏表紙３の外面に固定すれば、多量の帳票類２０の綴じ込みに見合った背表紙の幅として広げることができる。【００２２】  この状態でファイリングされた帳票類の綴じ込み部背後は、背表紙部６の背表紙部片６ｂによって囲われている。そして、この背表紙部６によって表表紙２と裏表紙３とが繋がれ、しかも帳票類２０の綴じ込み部分は表表紙２と裏表紙３との綴じ込み部がいずれも押え部片や綴じ部片によって二重に形成されているから補強され、ファイルの綴じ幅が広くなっても外力に対して容易に変形することなく安定状態を保持できる。【００２３】  このように本実施形態のファイルによれば、従来の板目表紙によるような綴じ込み帳票類の加増の際に、綴じ込まれた帳票類を不安定な状態で保管することがなく、綴じ込み操作も従来の綴じ込みと同様の操作で表表紙をはずして先に綴じているものに対し、そのまま順次追加していくことができるから便利である。なお、背表紙部６を裏表紙３外面に固定するには、前述のような粘着テープのほかに、ステップラー（ホッチキスの針）で固定するようにしても良い。【００２４】  しかも、本実施形態のファイル１は、初期において厚さ寸法を薄い状態で使用され、加増するときには裏表紙に付属させた背表紙部をはずして外部に付加する操作だけで綴じ込み量を多くすることが簡単にできる構造とされるので、強度を低下させず、型崩れすることなく保形され、棚等に収納して安定した状態で収容することができる。
【符号の説明】
【００２５】１      ファイル
２      表表紙部
３      裏表紙部
３ａ    綴じ部片
６      背表紙部
６ａ    押え部片
６ｂ    背表紙部片
６ｃ    背表紙部の取付け部片
８      粘着テープ（固定手段）
１０    綴じ具
１１    綴じ紐
１２    押え金具
２０    紙葉類
【図１】
0003167086.tif 000003
【図２】
0003167086.tif 000004
【図３】
0003167086.tif 000005
【図４】
0003167086.tif 000006